(57)【要約】【課題】ウィンタータイム開始時刻を検知した場合、遠隔制御装置時計を所定時間遅らせた時計情報を複数台のデータ収集装置に送信し、データ収集装置内の内部時計を所定時間遅らせることでウィンタータイムに係る運用業務を効率的かつ的確に行うことができる。【解決手段】ウィンタータイム開始判定手段２がウィンタータイム開始時刻を検知した場合、遠隔制御装置時計１を所定時間遅らせた時計情報をネットワーク通信線Ｃを介して複数台のデータ収集装置Ｂ（Ｂ１、・・・、Ｂｎ）に送信し、内部時計７（７Ａ、・・・、７ｎ）を所定時間遅らせるものである。したがって、ウィンタータイムに対応した制御ができ、ウィンタータイムに係る運用業務を効率的かつ的確に行うことができる。【選択図】図１
2006200904.tif 000002
【特許請求の範囲】
【請求項１】
遠隔制御装置時計とウィンタータイム開始判定手段と第１記憶装置と表示手段と第１伝送手段とを備えネットワーク通信線を介してネットワークに接続する遠隔制御装置と、内部時計と第２記憶装置と第２伝送手段とを備え複数台の電力消費機器の動作状態と複数台のエネルギー計測機器から計測されたエネルギーデータを前記遠隔制御装置にネットワーク通信線を介して送受信する複数台のデータ収集装置を具備した遠隔制御システムであって、前記ウィンタータイム開始判定手段がウィンタータイム開始時刻を検知した場合、前記遠隔制御装置時計を所定時間遅らせた時計情報を前記ネットワーク通信線を介して複数台の前記データ収集装置に送信し、前記内部時計を所定時間遅らせることを特徴とする遠隔制御システム。
【請求項２】
ウィンタータイム終了判定時間は、遠隔制御装置Ａ内に構成され、前記ウィンタータイム終了判定手段がウィンタータイム終了時刻を検知した場合、前記遠隔制御装置時計を所定時間進ませた時計情報を前記ネットワーク通信線を介して複数台の前記データ収集装置に送信し、前記内部時計を所定時間進ませることを特徴とする、請求項１記載の遠隔制御システム。
【請求項３】
ウィンタータイム設定手段は、遠隔制御装置Ａ内に構成され、前記ウィンタータイム設定手段が手動スイッチもしくは外部からの信号をもとにウィンタータイム制御を開始することを特徴とする、請求項１〜２のいずれかに記載の遠隔制御システム。
【請求項４】
送信設定入力手段は、遠隔制御装置Ａ内に構成され、前記遠隔制御装置時計の時計情報を前記ネットワーク通信線を介して送信する場合、対象とする前記データ収集装置を設定することを特徴とする、請求項１〜３のいずれかに記載の遠隔制御システム。
【請求項５】
設定情報補正手段は、遠隔制御装置Ａ内に構成され、前記ウィンタータイム開始判定手段がウィンタータイム開始時刻を検知した場合または、前記ウィンタータイム終了判定手段がウィンタータイム終了時刻を検知した場合に前記第１記憶装置内に登録されたスケジュールから時刻を所定時間ずらしたスケジュールを作成し、前記ネットワーク通信線を介して複数台の前記データ収集装置に送信し、前記第２記憶装置内のスケジュールを変更することを特徴とする、請求項１〜４のいずれかに記載の遠隔制御システム。
【請求項６】
記憶情報補正手段は、遠隔制御装置Ａ内に構成され、前記ウィンタータイム開始判定手段がウィンタータイム開始時刻を検知した場合に前記第１伝送手段で受信した電力消費機器及びエネルギーデータに識別子を追加し、前記第１記憶装置内に保存されたデータを時系列に並べ替えることを特徴とする、請求項１〜５のいずれかに記載の遠隔制御システム。
【請求項７】
表示切替手段は、前記第1記憶装置内に保存された電力消費機器及びエネルギーデータを前記表示手段を介して表並びにグラフに表示する場合に、ウィンタータイム実施期間内とウィンタータイム実施期間外とを同時もしくはどちらか一方に切り替えて表示することを特徴とする、請求項１〜６のいずれかに記載の遠隔制御システム。
【発明の詳細な説明】
【技術分野】
【０００１】
本発明は機器の遠隔制御システムに関するものである。
【背景技術】
【０００２】
従来、この種の遠隔制御システムでは、例えば図８に記載された空調管理システムがあった（例えば、特許文献１参照）。
【０００３】
図８において、各空気調和機１０３を運転制御し監視するビル中央監視盤１０１と、ビル中央監視盤１０１から出される制御指令と、各空気調和機１０３の運転状態を示す情報を中継する集中制御装置１０２とを備える空調管理システムであって、ビル中央監視盤１０１および集中制御装置１０２のそれぞれに各空気調和機１０３への制御情報を伝送する第１伝送手段１０４と第２伝送手段１０６と、各空気調和機１０３からの運転状態情報およびスケジュール情報を記憶する第１記憶手段１０５と第２記憶手段１０７から構成されている。
【特許文献１】特開平６−２４１５４４号公報
【発明の開示】
【発明が解決しようとする課題】
【０００４】
しかしながら、上記従来の構成では、ウィンタータイムが実施される場合に第１記憶手段１０５と第２記憶手段１０７内に保存されているスケジュール等のデータが変更されておらずウィンタータイムに対応した制御ができないという課題を有していた。また、ウィンタータイムによる時刻変更がある度に、保存されたデータ調整、システム全体の時刻調整等、システム管理者の負担が増加する課題を有していた。
【０００５】
本発明は、前記従来の課題を解決するもので、ウィンタータイム開始時刻を検知した場合、遠隔制御装置時計を所定時間遅らせた時計情報を複数台のデータ収集装置に送信し、データ収集装置内の内部時計を所定時間遅らせることでウィンタータイムに係る運用業務を効率的かつ的確に行うことができる遠隔制御システムを提供することを目的とする。
【課題を解決するための手段】
【０００６】
前記従来の課題を解決するために、本発明の遠隔制御システムは、ウィンタータイム開始時刻を検知した場合、遠隔制御装置時計を所定時間遅らせた時計情報を複数台のデータ収集装置に送信し、データ収集装置内の内部時計を所定時間遅らせるものである。
【０００７】
これによって、ウィンタータイムに対応した制御ができ、ウィンタータイムに係る運用業務を効率的かつ的確に行うことができる。
【発明の効果】
【０００８】
本発明の遠隔制御システムは、ウィンタータイム開始時刻を検知した場合、遠隔制御装置時計を所定時間遅らせた時計情報を複数台のデータ収集装置に送信し、データ収集装置内の内部時計を所定時間遅らせることでウィンタータイムに係る運用業務を効率的かつ的確に行うことができる。
【発明を実施するための最良の形態】
【０００９】
第１の発明は、遠隔制御装置時計とウィンタータイム開始判定手段と第１記憶装置と表示手段と第１伝送手段とを備えネットワーク通信線を介してネットワークに接続する遠隔制御装置と、内部時計と第２記憶装置と第２伝送手段とを備え複数台の電力消費機器の動
作状態と複数台のエネルギー計測機器から計測されたエネルギーデータを前記遠隔制御装置にネットワーク通信線を介して送受信する複数台のデータ収集装置を具備した遠隔制御システムであって、ウィンタータイム開始判定手段がウィンタータイム開始時刻を検知した場合、遠隔制御装置時計を所定時間遅らせた時計情報をネットワーク通信線を介して複数台のデータ収集装置に送信し、内部時計を所定時間遅らせるもので、この構成をなすことにより、ウィンタータイムに対応した制御ができ、ウィンタータイムに係る運用業務を効率的かつ的確に行うことができる。
【００１０】
第２の発明は、ウィンタータイム終了判定手段を設け、特に、第１の発明のウィンタータイム終了判定手段においてウィンタータイム終了時刻を検知した場合、遠隔制御装置時計を所定時間進ませた時計情報をネットワーク通信線を介して複数台のデータ収集装置に送信し、内部時計を所定時間進ませるもので、この構成をなすことにより、ウィンタータイムに対応した制御ができ、ウィンタータイムに係る運用業務を効率的かつ的確に行うことができる。
【００１１】
第３の発明は、ウィンタータイム設定手段を設け、特に、第１〜２の発明のウィンタータイム設定手段において手動スイッチもしくは外部からの信号をもとにウィンタータイム制御を開始するもので、この構成をなすことにより、ウィンタータイム開始判定手段がウィンタータイムの開始を検知できない等の異常時においてもウィンタータイムに対応した制御ができ、システム制御の信頼性を向上することができる。
【００１２】
第４の発明は、送信設定入力手段を設け、特に、第１〜３の発明の送信設定入力手段において遠隔制御装置時計の時計情報を複数台のデータ収集装置に送信する場合、対象とするデータ収集装置を設定できるもので、この構成をなすことにより、ウィンタータイム時間に対応していないデータ収集装置だけの内部時計を変更でき、ウィンタータイム対応におけるシステムの最適化を図ることができる。
【００１３】
第５の発明は、設定情報補正手段を設け、特に、第１〜４の発明の設定情報補正手段においてウィンタータイム開始判定手段がウィンタータイム開始時刻を検知した場合または、ウィンタータイム終了判定手段がウィンタータイム終了時刻を検知した場合に第１記憶装置内に登録されたスケジュールから時刻を所定時間ずらしたスケジュールを作成し、ネットワーク通信線を介して複数台のデータ収集装置に送信し、第２記憶装置内のスケジュールを変更するもので、この構成をなすことにより、遠隔制御装置が通信できない異常時においても複数台のデータ収集装置でウィンタータイムに対応した制御ができ、システム制御の信頼性を向上することができる。
【００１４】
第６の発明は、記憶情報補正手段を設け、特に、第１〜５の発明の記憶情報補正手段においてウィンタータイム開始判定手段がウィンタータイム開始時刻を検知した場合に第１伝送手段で受信した電力消費機器及びエネルギーデータに識別子を追加し、第１記憶装置内に保存されたデータを時系列に並べ替えるもので、この構成をなすことにより、ウィンタータイム実施前後の時系列データの連続性を保つことができる。
【００１５】
第７の発明は、表示切替手段を設け、特に、第１〜６の発明の表示切替手段において第1記憶装置内に保存された電力消費機器及びエネルギーデータを表示手段を介して表並びにグラフに表示する場合に、ウィンタータイム実施期間内とウィンタータイム実施期間外とを同時もしくはどちらか一方に切り替えて表示するもので、この構成をなすことにより、ウィンタータイム運用の検証に伴う時間を低減することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における遠隔制御システムのブロック図を示すものである。
【００１８】
図１において、遠隔制御システムＦは、遠隔制御装置時計１とウィンタータイム開始判定手段２と第１記憶装置３と表示手段４と第１伝送手段５とを備えネットワーク通信線Ｃを介してネットワークに接続する遠隔制御装置Ａと、内部時計７（７Ａ、・・・、７ｎ）と第２記憶装置８（８Ａ、・・・、８ｎ）と第２伝送手段９（９Ａ、・・・、９ｎ）とを備え、第２記憶装置８（８Ａ、・・・、８ｎ）内に保存されている設定データ（スケジュール等）および複数台の電力消費機器Ｄ（Ｄ１、・・・、Ｄｎ）の動作状態と複数台のエネルギー計測機器Ｅ（Ｅ１、・・・、Ｅｎ）から計測されたエネルギーデータを遠隔制御装置Ａにネットワーク通信線Ｃを介して送受信する複数台のデータ収集装置Ｂ（Ｂ１、・・・、Ｂｎ）とから構成される。
【００１９】
以上のように構成された遠隔制御システムにおいて、以下その動作、作用を説明する。ウィンタータイム開始判定手段２は、遠隔制御装置時計１を監視しウィンタータイム開始時刻を検知する。
【００２０】
第１記憶装置３は、登録されたスケジュール情報並びにネットワーク１５上に接続された複数台のデータ収集装置Ｂ（Ｂ１、・・・、Ｂｎ）から受信した複数台の電力消費機器Ｄ（Ｄ１、・・・、Ｄｎ）の動作状態と複数台のエネルギー計測機器Ｅ（Ｅ１、・・・、Ｅｎ）から計測されたエネルギーデータの保存を行う。
【００２１】
表示手段４は、第１記憶装置３に保存されたデータ（例：スケジュール設定情報、電力消費機器運転状態、エネルギーデータ）を画面上に表示する。
【００２２】
第１伝送手段５は、ネットワーク１５上に接続された複数台のデータ収集装置Ｂ（Ｂ１、・・・、Ｂｎ）とネットワーク通信線Ｃを介してデータの送受信をする。
第２記憶装置８（８Ａ、・・・、８ｎ）は、遠隔制御装置Ａから受信したデータ（スケジュール設定情報等）の保存を行う。
【００２３】
第２伝送手段９（９Ａ、・・・、９ｎ）は、第２記憶装置８（８Ａ、・・・、８ｎ）に保存された設定データと複数台の電力消費機器Ｄ（Ｄ１、・・・、Ｄｎ）の動作状態および複数台のエネルギー計測機器Ｅ（Ｅ１、・・・、Ｅｎ）から計測されたエネルギーデータを遠隔制御装置Ａにネットワーク通信線Ｃを介して送受信する。
【００２４】
以上のように構成された遠隔制御システムＦは、ウィンタータイム開始判定手段２がウィンタータイム開始時刻を検知した場合、遠隔制御装置時計１を所定時間遅らせた時計情報をネットワーク通信線Ｃを介して複数台のデータ収集装置Ｂ（Ｂ１、・・・、Ｂｎ）に送信し、内部時計７（７Ａ、・・・、７ｎ）を所定時間遅らせるものである。したがって、ウィンタータイムに対応した制御ができ、ウィンタータイムに係る運用業務を効率的かつ的確に行うことができる。
【００２５】
（実施の形態２）
図２は、本発明の実施の形態２における遠隔制御システムＦのブロック図を示すものである。
【００２６】
図２において、実施の形態１で説明した部分については同じ符号を用い説明を省略する。
【００２７】
ウィンタータイム終了判定手段６は、遠隔制御装置時計１を監視しウィンタータイム終了時刻を検知する。
【００２８】
以上のように構成された遠隔制御システムＦは、ウィンタータイム終了判定手段６がウィンタータイム終了時刻を検知した場合、遠隔制御装置時計１を所定時間進ませた時計情報をネットワーク通信線Ｃを介して複数台のデータ収集装置Ｂ（Ｂ１、・・・、Ｂｎ）に送信し、内部時計７（７Ａ、・・・、７ｎ）を所定時間進ませるものである。したがって、ウィンタータイムに対応した制御ができ、ウィンタータイムに係る運用業務を効率的かつ的確に行うことができる。
【００２９】
（実施の形態３）
図３は、本発明の実施の形態３における遠隔制御システムＦのブロック図を示すものである。
【００３０】
図３において、実施の形態１で説明した部分については同じ符号を用い説明を省略する。
【００３１】
ウィンタータイム設定手段１０は、手動スイッチもしくは外部からの信号をもとにウィンタータイム制御を開始する。
【００３２】
以上のように構成された遠隔制御システムＦは、ウィンタータイム設定手段１０が手動スイッチもしくは外部からの信号をもとにウィンタータイム制御を開始するものである。
【００３３】
したがって、ウィンタータイム開始判定手段２がウィンタータイムの開始を検知できない異常時においてもウィンタータイムに対応した制御ができ、システム制御の信頼性を向上することができる。
【００３４】
（実施の形態４）
図４は、本発明の実施の形態４における遠隔制御システムＦのブロック図を示すものである。
【００３５】
図４において、実施の形態１で説明した部分については同じ符号を用い説明を省略する。
【００３６】
送信設定入力手段１１は、遠隔制御装置時計１の時計情報を送信する対象とするデータ収集装置Ｂ（Ｂ1、・・・、Ｂｎ）を設定する。
【００３７】
以上のように構成された遠隔制御システムＦは、遠隔制御装置時計１の時計情報をネットワーク通信線Ｃを介して送信する場合、対象とするデータ収集装置（Ｂ1、・・・、Ｂｎ）を設定するものである。
【００３８】
したがって、ウィンタータイム時間に対応していないデータ収集装置（Ｂ1、・・・、Ｂｎ）だけの内部時計７（７Ａ、・・・、７ｎ）を変更でき、ウィンタータイム対応におけるシステムの最適化を図ることができる。
【００３９】
（実施の形態５）
図５は、本発明の実施の形態５における遠隔制御システムＦのブロック図を示すものである。
【００４０】
図５において、実施の形態１で説明した部分については同じ符号を用い説明を省略する。
【００４１】
設定情報補正手段１２は、ウィンタータイム開始判定手段２がウィンタータイム開始時刻を検知した場合または、ウィンタータイム終了判定手段６がウィンタータイム終了時刻を検知した場合に第１記憶装置３内に登録されたスケジュールから時刻を所定時間ずらしたスケジュールを作成する。
【００４２】
以上のように構成された遠隔制御システムＦは、設定情報補正手段１２においてウィンタータイム開始判定手段２がウィンタータイム開始時刻を検知した場合または、ウィンタータイム終了判定手段６がウィンタータイム終了時刻を検知した場合に第１記憶装置３内に登録されたスケジュールから時刻を所定時間ずらしたスケジュールを作成し、第１伝送手段５がネットワーク通信線Ｃを介して複数台のデータ収集装置Ｂ（Ｂ１、・・・、Ｂｎ）に送信し、第２記憶装置８（８Ａ、・・・、８ｎ）内のスケジュールを変更するものである。
【００４３】
したがって、遠隔制御装置Ａが通信できない異常時においても複数台のデータ収集装置Ｂ（Ｂ１、・・・、Ｂｎ）でウィンタータイムに対応した制御ができ、システム制御の信頼性を向上することができる。
【００４４】
（実施の形態６）
図６は、本発明の実施の形態６における遠隔制御システムＦのブロック図を示すものである。
【００４５】
図６において、実施の形態１で説明した部分については同じ符号を用い説明を省略する。
【００４６】
記憶情報補正手段１３は、ウィンタータイム開始判定手段２がウィンタータイム開始時刻を検知した場合に第１伝送手段５で受信した電力消費機器及びエネルギーデータに識別子を追加し、第１記憶装置３内に保存されたデータを時系列に並び替える。
【００４７】
以上のように構成された遠隔制御システムＦは、記憶情報補正手段１３においてウィンタータイム開始判定手段２がウィンタータイム開始時刻を検知した場合に第１伝送手段５で受信した電力消費機器及びエネルギーデータに識別子を追加し、第１記憶装置３内に保存されたデータを時系列に並べ替えるものである。
【００４８】
したがって、ウィンタータイム実施前後の時系列データの連続性を保つことができる。
【００４９】
（実施の形態７）
図７は、本発明の実施の形態７における遠隔制御システムＦのブロック図を示すものである。
【００５０】
図７において、実施の形態１で説明した部分については同じ符号を用い説明を省略する。
【００５１】
表示切替手段１４は、第1記憶装置３内に保存された電力消費機器及びエネルギーデータを表示する表並びにグラフをウィンタータイム実施期間内とウィンタータイム実施期間外の同時表示もしくはどちらか一方だけの表示に切り替える。
【００５２】
以上のように構成された遠隔制御システムＦは、表示切替手段１４において第1記憶装
置３内に保存された電力消費機器及びエネルギーデータを表示手段４を介して表並びにグラフに表示する場合に、ウィンタータイム実施期間内とウィンタータイム実施期間外とを同時もしくはどちらか一方に切り替えて表示するもので、この構成をなすことにより、ウィンタータイム運用の検証に伴う時間を低減することができる。
【産業上の利用可能性】
【００５３】
以上のように、本発明の遠隔制御システムは、ウィンタータイム開始および終了時にデータ収集装置の内部時計をネットワークを介して所定時間ずらすことでウィンタータイムに対応した制御ができ、ウィンタータイムに係る運用業務を効率的かつ的確に行うことができるので、データ保存機能及び時計を有する機器とインターネットや専用回線等の通信回線網により接続する制御管理システム全般の用途にも適用できる。
【図面の簡単な説明】
【００５４】
【図１】本発明の実施の形態１における遠隔制御システムのブロック図
【図２】本発明の実施の形態２における遠隔制御システムのブロック図
【図３】本発明の実施の形態３における遠隔制御システムのブロック図
【図４】本発明の実施の形態４における遠隔制御システムのブロック図
【図５】本発明の実施の形態５における遠隔制御システムのブロック図
【図６】本発明の実施の形態６における遠隔制御システムのブロック図
【図７】本発明の実施の形態７における遠隔制御システムのブロック図
【図８】従来の遠隔制御システムのブロック図
【符号の説明】
【００５５】
Ａ  遠隔制御装置
Ｂ  データ収集装置
Ｃ  ネットワーク通信網
Ｄ  電力消費機器
Ｅ  エネルギー計測機器
Ｆ  遠隔制御システム
１  遠隔制御装置時計
２  ウィンタータイム開始判定手段
３  第１記憶装置
４  表示手段
５  第1伝送手段
６  ウィンタータイム終了判定手段
７  内部時計
８  第２記憶装置
９  第２伝送手段
１０  ウィンタータイム設定手段
１１  送信設定入力手段
１２  設定情報補正手段
１３  記憶情報補正手段
１４  表示切替手段
１５  ネットワーク
【図１】
2006200904.tif 000003
【図２】
2006200904.tif 000004
【図３】
2006200904.tif 000005
【図４】
2006200904.tif 000006
【図５】
2006200904.tif 000007
【図６】
2006200904.tif 000008
【図７】
2006200904.tif 000009
【図８】
2006200904.tif 000010